(57)【要約】  景品ごとに、名称と引換用のポイントを付与元であるポイントサービスとを示す引換用景品情報を記憶するデータベースを用意しておき、引換用景品情報を会員に対して提示し、会員ごとに、その会員が順位を付けて選択した所望の景品を示す所望景品情報をマルチカード３０に記憶させておき、店舗において会員にポイントを付与する際に、その会員の所望景品情報をマルチカード３０から取得し（＃２）、その所望景品情報に示されるいずれかの景品と引換可能であるポイントを付与しかつその店舗において取扱い可能であるポイントサービスのうち、最も順位の高い景品のポイントを付与するポイントサービスを、その会員にとって選択するのに好適であると判別し（＃３）、好適であると判別したポイントサービスを提示する（＃４）。
2008126131.tif 000002
【特許請求の範囲】
【請求項１】
ポイントを会員に付与し会員が貯めたポイントを景品と引き換える複数のポイントサービスの中から会員がいずれかを選択するのを支援するポイントサービス選択支援方法であって、
景品ごとに、当該景品の名称、当該景品と引き換えるのに必要なポイントの数、および当該景品と引換可能なポイントを付与する前記ポイントサービスを示す引換用景品情報を記憶する引換用景品情報記憶手段を用意しておき、
前記引換用景品情報を会員に対して提示し、
会員ごとに、当該会員が順位を付けて選択した所望の景品を示す所望景品情報を所望景品情報記憶手段に記憶させておき、
店舗において会員にポイントを付与する際に、
当該会員の前記所望景品情報を前記所望景品情報記憶手段から取得し、
当該所望景品情報に示されるいずれかの景品と引換可能であるポイントを付与しかつ当該店舗において取扱い可能である前記ポイントサービスのうち、最も順位の高い景品のポイントを付与する前記ポイントサービスを、当該会員にとって選択するのに好適であると判別し、
好適であると判別した前記ポイントサービスを提示する、
ことを特徴とするポイントサービス選択支援方法。
【請求項２】
ポイントを会員に付与し会員が貯めたポイントを景品と引き換える複数のポイントサービスの中から会員がいずれかを選択するのを支援するポイントサービス選択支援方法であって、
景品ごとに、当該景品の名称、当該景品と引き換えるのに必要なポイントの数、および当該景品と引換可能なポイントを付与する前記ポイントサービスを示す引換用景品情報を記憶する引換用景品情報記憶手段を用意しておき、
前記引換用景品情報を会員に対して提示し、
会員ごとに、当該会員が選択した所望の景品を示す所望景品情報を所望景品情報記憶手段に記憶させておき、
店舗において会員にポイントを付与する際に、
当該会員の前記所望景品情報を前記所望景品情報記憶手段から取得し、
当該所望景品情報に示される景品と引換可能なポイントを付与する前記ポイントサービスを当該店舗において取扱い可能である場合は、当該ポイントサービスを、当該会員にとって選択するのに好適であると判別し、取扱い不能である場合は、当該ポイントサービスのポイントに交換可能なポイントを付与しかつ当該店舗において取扱い可能である他の前記ポイントサービスのうち、最も多く当該ポイントサービスのポイントに交換可能なポイントを付与するものを、当該会員にとって選択するのに好適であると判別し、
好適であると判別した前記ポイントサービスを当該会員に提示する、
ことを特徴とするポイントサービス選択支援方法。
【請求項３】
ポイントを会員に付与し会員が貯めたポイントを景品と引き換える複数のポイントサービスの中から会員がいずれかを選択するのを支援するポイントサービス選択支援方法であって、
景品ごとに、当該景品の名称、当該景品と引き換えるのに必要なポイントの数、および当該景品と引換可能なポイントを付与する前記ポイントサービスを示す引換用景品情報を記憶する引換用景品情報記憶手段を用意しておき、
前記引換用景品情報を会員に対して提示し、
会員ごとに、当該会員が選択した所望の景品を示す所望景品情報を所望景品情報記憶手段に記憶させておき、
店舗において会員にポイントを付与する際に、
当該会員の前記所望景品情報を前記所望景品情報記憶手段から取得し、
当該所望景品情報に示される景品と引換可能なポイントを付与しかつ当該店舗において取扱い可能である前記ポイントサービスから当該会員に今回付与すべきポイントの点数である第一の点数を算出し、
当該所望景品情報に示される景品と引換可能なポイントに交換可能なポイントを付与しかつ当該店舗において取扱い可能な前記ポイントサービスから当該会員に今回付与すべきポイントの点数である第二の点数を算出し、
前記第二の点数のポイントを、当該所望景品情報に示される景品と引換可能なポイントを付与する前記ポイントサービスのポイントに変換した際の点数である第三の点数を算出し、
前記第一の点数および前記第三の点数を比較した結果、当該第一の点数が最も大きい場合は当該所望景品情報に示される景品と引換可能なポイントを付与する前記ポイントサービスを、当該会員にとって選択するのに好適であると判別し、当該第三の点数が最も大きい場合は、当該第三の点数のポイントの変換元のポイントに係る前記ポイントサービスを、当該会員にとって選択するのに好適であると判別し、
好適であると判別した前記ポイントサービスを当該会員に提示する、
ことを特徴とするポイントサービス選択支援方法。
【請求項４】
会員が予め所定の設定を行っている場合は、当該会員にとって選択するのに好適であると判別した前記ポイントサービスのポイントを、当該ポイントサービスを提示したか否かに関わらず、当該会員に付与する、
請求項１ないし請求項３のいずれかに記載のポイントサービス選択支援方法。
【請求項５】
前記所望景品情報記憶手段は、会員ごとに配付した、携帯型の記憶媒体であって、
会員の前記所望景品情報を、当該会員自身の前記記録媒体に記憶させておく、
請求項１ないし請求項４のいずれかに記載のポイントサービス選択支援方法。
【請求項６】
ポイントを会員に付与し会員が貯めたポイントを景品と引き換える複数のポイントサービスの中から会員がいずれかを選択するのを支援するポイントサービス選択支援システムであって、
景品ごとに、当該景品の名称、当該景品と引き換えるのに必要なポイントの数、および当該景品と引換可能なポイントを付与する前記ポイントサービスを示す引換用景品情報を記憶する引換用景品情報記憶手段と、
前記引換用景品情報を会員に提示する引換用景品情報提示手段と、
会員が順位を付けて選択した所望の景品を示す所望景品情報を所望景品情報記憶手段に記憶させる所望景品情報登録処理手段と、
店舗において会員にポイントを付与する際に、当該会員の前記所望景品情報を前記所望景品情報記憶手段から取得する、所望景品情報取得手段と、
取得された前記所望景品情報に示されるいずれかの景品と引換可能であるポイントを付与しかつ前記店舗において取扱い可能である前記ポイントサービスのうち、最も順位の高い景品のポイントを付与する前記ポイントサービスを、会員にとって選択するのに好適であると判別する、好適ポイントサービス判別手段と、
判別された前記ポイントサービスを提示するポイントサービス提示手段と、
を有することを特徴とするポイントサービス選択支援システム。
【請求項７】
ポイントを会員に付与し会員が貯めたポイントを景品と引き換える複数のポイントサービスの中から会員がいずれかを選択するのを支援するポイントサービス選択支援システムであって、
景品ごとに、当該景品の名称、当該景品と引き換えるのに必要なポイントの数、および当該景品と引換可能なポイントを付与する前記ポイントサービスを示す引換用景品情報を記憶する引換用景品情報記憶手段と、
前記引換用景品情報を会員に提示する引換用景品情報提示手段と、
会員が選択した所望の景品を示す所望景品情報を所望景品情報記憶手段に記憶させる所望景品情報登録処理手段と、
店舗において会員にポイントを付与する際に、当該会員の前記所望景品情報を前記所望景品情報記憶手段から取得する、所望景品情報取得手段と、
取得された当該所望景品情報に示される景品と引換可能なポイントを付与する前記ポイントサービスを当該店舗において取扱い可能である場合は、当該ポイントサービスを、会員にとって選択するのに好適であると判別し、取扱い不能である場合は、当該ポイントサービスのポイントに交換可能なポイントを付与しかつ当該店舗において取扱い可能である他の前記ポイントサービスのうち、最も多く当該ポイントサービスのポイントに交換可能なポイントを付与するものを、当該会員にとって選択するのに好適であると判別する、好適ポイントサービス判別手段と、
好適であると判別された前記ポイントサービスを提示するポイントサービス提示手段と、
を有することを特徴とするポイントサービス選択支援システム。
【請求項８】
会員にとって好適であると判別された前記ポイントサービスのポイントを当該会員に対して付与するための処理を実行するポイント付与処理手段、を有する、
請求項６または請求項７記載のポイントサービス選択支援システム。
【請求項９】
前記ポイントサービス提示手段は、判別された前記ポイントサービスとともに、前記各ポイントサービスを使用した場合の割引に関する情報を提示する、
請求項６または請求項７記載のポイントサービス選択支援システム。
【請求項１０】
会員が選択した前記ポイントサービスのポイントを当該会員に対して付与するための処理を実行するポイント付与処理手段、を有する、
請求項６、請求項７、または請求項９記載のポイントサービス選択支援システム。
【発明の詳細な説明】
【技術分野】
【０００１】
本発明は、景品と引換え可能なポイントを会員に付与するポイントサービスの支援の方法およびシステムに関する。
【背景技術】
【０００２】
近年、商品を購入しまたはサービスを受けてくれる顧客に対してポイントサービスを提供する事業者が増えている。ポイントサービスは、代金または買物の回数などに応じてポイントを発行し、顧客が貯めたポイントを景品などと引き換える（交換する）、というサービスである。「マイレージサービス」などの他の名称で呼ばれることもある。【０００３】
事業者が独自にポイントサービスを提供することもあれば、複数の事業者が団体を形成し共通のポイントサービスを提供することもある。また、クレジットカードの事業者つまり信販会社もポイントサービスを提供しており、クレジットカードで支払いを行った顧客に対してポイントを付与する。【０００４】
顧客が獲得したポイントは、サーバなどによって他の顧客のポイントとともに一元的に管理されることもあれば、その顧客のカードに記憶され管理されることもある。【０００５】
事業者は、ポイントと引換えに、装飾品、日用品、食料品、書籍、または衣料品など様々な景品を顧客に提供する。上記のような物品だけでなく、金券、商品券、またはチケットなども、景品として提供される。または、旅行、食事、または宿泊などのサービスが景品として提供されることもある。【０００６】
よって、顧客は、貯めたポイントと引換えに様々な景品を取得することができる。しかも、複数のポイントサービスに加入していれば、景品の選択肢が増える。【０００７】
複数のポイントサービスに加入している顧客の利便性を高めるための方法が、特許文献１に開示されている。この方法によると、任意の商品と交換可能なサービスポイントをユーザーの口座毎に記憶する記憶手段と、前記記憶手段に記憶するサービスポイントの出納を管理する出納手段とを備えたポイントバンクシステムにおいて、前記出納手段が複数種類のサービスポイントを受け付けて前記記憶手段に記憶させる。しかも、前記出納手段は、価値の異なるサービスポイントを受け付け、前記サービスポイントの単位当たりの価値が所定の値となるように換算して前記記憶手段に記憶させる。【０００８】
ところで、顧客は、代金の支払いの際に、どのポイントサービスのポイントを取得するのかを、複数のポイントサービスの中から選択することができることがある。例えば、百貨店に入居している専門店で買物をした場合は、その専門店独自のポイントサービスまたはその百貨店のポイントサービスのいずれかを選択することができる。または、クレジットカードで支払いをすれば、そのクレジットカードの発行元である信販会社のポイントサービスを選択することもできる。【０００９】
上述の通り、複数のポイントサービスを利用することができる顧客は、様々な景品の中から、貯めたポイントと引き換える景品を選択することができる。【００１０】
しかし、選択肢が多くなればなるほど、顧客は、買物の際に、自分の所望する景品のためにどのポイントサービスのポイントを取得すればよいか、迷ってしまう。
【特許文献１】特開２００２−９９９６６号公報
【発明の開示】
【００１１】
本発明は、このような問題点に鑑み、複数のポイントサービスの利用が可能な顧客がどのポイントサービスのポイントの付与を受けるのかを従来よりも簡単に選択できるようにすることを、目的とする。
【００１２】
本発明に係るポイントサービス選択支援方法は、ポイントを会員に付与し会員が貯めたポイントを景品と引き換える複数のポイントサービスの中から会員がいずれかを選択するのを支援するポイントサービス選択支援方法であって、景品ごとに、当該景品の名称、当該景品と引き換えるのに必要なポイントの数、および当該景品と引換可能なポイントを付与する前記ポイントサービスを示す引換用景品情報を記憶する引換用景品情報記憶手段を用意しておき、前記引換用景品情報を会員に対して提示し、会員ごとに、当該会員が順位を付けて選択した所望の景品を示す所望景品情報を所望景品情報記憶手段に記憶させておき、店舗において会員にポイントを付与する際に、当該会員の前記所望景品情報を前記所望景品情報記憶手段から取得し、当該所望景品情報に示されるいずれかの景品と引換可能であるポイントを付与しかつ当該店舗において取扱い可能である前記ポイントサービスのうち、最も順位の高い景品のポイントを付与する前記ポイントサービスを、当該会員にとって選択するのに好適であると判別し、好適であると判別した前記ポイントサービスを提示する、ことを特徴とする。
【００１３】
または、会員ごとに、当該会員が選択した所望の景品を示す所望景品情報を所望景品情報記憶手段に記憶させておき、店舗において会員にポイントを付与する際に、当該会員の前記所望景品情報を前記所望景品情報記憶手段から取得し、当該所望景品情報に示される景品と引換可能なポイントを付与する前記ポイントサービスを当該店舗において取扱い可能である場合は、当該ポイントサービスを、当該会員にとって選択するのに好適であると判別し、取扱い不能である場合は、当該ポイントサービスのポイントに交換可能なポイントを付与しかつ当該店舗において取扱い可能である他の前記ポイントサービスのうち、最も多く当該ポイントサービスのポイントに交換可能なポイントを付与するものを、当該会員にとって選択するのに好適であると判別し、好適であると判別した前記ポイントサービスを当該会員に提示する。
【図面の簡単な説明】
【００１４】
【図１】端末装置のハードウェア構成の例を示す図である。
【図２】端末装置の機能的構成の例を示す図である。
【図３】端末装置と他の装置との接続の例を示す図である。
【図４】マルチカードに記憶されている情報の例を示す図である。
【図５】景品設定用装置の外観の例を示す図である。
【図６】景品設定用装置の機能的構成の例を示す図である。
【図７】景品データベースの例を示す図である。
【図８】景品取得目標設定画面の例を示す図である。
【図９】ポイント付与規則テーブルおよび交換率テーブルの例を示す図である。
【図１０】特典テーブルの例を示す図である。
【図１１】好適ポイントサービス判別処理の流れの例を説明するフローチャートである。
【図１２】ポイントサービス情報画面の例を示す図である。
【図１３】端末装置の全体的な処理の流れの例を説明するフローチャートである。
【図１４】レシートの例を示す図である。
【図１５】好適ポイントサービス判別処理の流れの変形例を説明するフローチャートである。
【図１６】レシートの例を示す図である。
【発明を実施するための最良の形態】
【００１５】
図１は端末装置１のハードウェア構成の例を示す図、図２は端末装置１の機能的構成の例を示す図、図３は端末装置１と他の装置との接続の例を示す図、図４はマルチカード３０に記憶されている情報の例を示す図、図５は景品設定用装置４の外観の例を示す図、図６は景品設定用装置４の機能的構成の例を示す図、図７は景品データベース４ＫＤの例を示す図、図８は景品取得目標設定画面ＨＧ１の例を示す図である。【００１６】
本発明に係る端末装置１は、商品を販売しまたはサービスを提供する店舗で使用されるＰＯＳ（Point of Sales）システムの端末装置である。端末装置１として、ＰＯＳレジまたはパーソナルコンピュータなどが用いられる。【００１７】
端末装置１は、図１に示すように、ＣＰＵ１０ａ、ＲＡＭ１０ｂ、ＲＯＭ１０ｃ、ハードディスク１０ｄ、ディスプレイ１０ｅ、操作ボタン１０ｆ、通信インタフェース１０ｇ、および入出力インタフェース１０ｈなどによって構成される。【００１８】
通信インタフェース１０ｇは、ＰＯＳシステムのホストまたはポイントサービス（「マイレージサービス」などと呼ばれることもある。）のポイントを管理するポイント管理装置と接続するためのインタフェースである。通信インタフェース１０ｇとして、ＮＩＣ（Network Interface Card）またはモデムなどが用いられる。【００１９】
入出力インタフェース１０ｈは、クレジットカード会社または信販会社のオーソリセンタと接続するためのＣＡＴ（Credit Authorization Terminal）端末、ポイント管理装置、またはカードリーダライタなどと接続するためのインタフェースである。入出力インタフェース１０ｈとして、ＵＳＢ、ＩＥＥＥ１３９４、またはＲＳ−２３２Ｃなどが用いられる。【００２０】
操作ボタン１０ｆは、顧客が購入した商品の代金および商品コードなどを店員が入力するために用いられる。端末装置１にバーコードリーダが繋がれている場合は、店員は、操作ボタン１０ｆの代わりにバーコードリーダを用いて代金および商品コードなどを入力することができる。また、操作ボタン１０ｆは、後に説明するように、どのカードに顧客がポイントを貯めるのかを選択するためにも、使用される。【００２１】
ディスプレイ１０ｅは、後に説明するポイントサービス情報画面ＨＧ２などの画面を表示する。【００２２】
ＲＯＭ１０ｃまたはハードディスク１０ｄには、従来と同様にＰＯＳシステムのホストと連携して売上管理または在庫管理などの処理を行うためのソフトウェアがインストールされている。【００２３】
さらに、ＲＯＭ１０ｃまたはハードディスク１０ｄには、図２に示すようなポイント対象金額取得部１０１、顧客情報取得部１０２、好適ポイントサービス判別部１０３、付与ポイント算出部１０４、サービス情報表示制御部１０５、ポイント付与制御部１０６、ポイント規則記憶部１Ｋ１、およびカード特典記憶部１Ｋ２などの機能を実現するためのプログラムおよびデータがインストールされている。これらのプログラムおよびデータは必要に応じてＲＡＭ１０ｂにロードされ、ＣＰＵ１０ａによってプログラムが実行される。【００２４】
端末装置１は、それが使用される店舗で提供可能なポイントサービスによって、通信インタフェース１０ｇおよび入出力インタフェース１０ｈそれぞれに繋がれる装置が異なる。【００２５】
以下、次の（１）〜（３）のポイントサービスを顧客に提供可能であるＡ書店で使用されかつ図３に示すように他の装置と繋がれている端末装置１Ａを例に挙げながら、端末装置１の説明を行う。
（１）  Ａ書店ポイントサービス：本サービスは、Ａ書店が独自にポイントを発行するポイントサービスである。顧客に対して発行されたポイントは、端末装置１Ａの入出力インタフェース１０ｈを介して繋がれているポイント管理装置２Ａによって一元的に管理されている。本サービスに加入している会員には、他の会員と識別するためのカードＩＤが記憶されている会員カード３Ａが配付されている。
（２）  Ｂ百貨店ポイントサービス：本サービスは、Ａ書店が入居しているＢ百貨店がポイントを発行するポイントサービスである。顧客に対して発行されたポイントはＢ百貨店の管理部門に設置されているポイント管理装置２Ｂによって一元的に管理されている。端末装置１Ａは、通信インタフェース１０ｇを介してポイント管理装置２Ｂと接続することができる。本サービスに加入している会員には、他の会員と識別するためのカードＩＤが記憶されている会員カード３Ｂが配付されている。
（３）  Ｃ信販会社ポイントサービス：本サービスは、Ａ書店が提携しているＣ信販会社のポイントサービスである。端末装置１は、入出力インタフェース１０ｈを介してＣ信販会社のＣＡＴ端末２Ｃと繋がれている。ＣＡＴ端末２Ｃは、公衆回線または専用線などを介してＣ信販会社のオーソリセンタに接続することができる。本サービスは、Ｃ信販会社のクレジットカード３Ｃを有する者でなければ、受けることができない。【００２６】
そのほか、入出力インタフェース１０ｈには、後に説明するマルチカード３０からデータを読み取りまたはマルチカード３０にデータを書き込むカードリーダライタ１ＲＷが繋がれている。【００２７】
Ａ書店で商品を購入した顧客は、その代金に応じたポイントを、上記のＡ書店、Ｂ百貨店、およびＣ信販会社のうちのいずれかの発行元から発行（付与）してもらうことができる。この際に、顧客は、従来通り、どの発行元からポイントを発行してもらうのかを自分自身で決め、その発行元に対応するカードを店員に提示する。【００２８】
または、顧客は、マルチカードサービスに加入している場合は、本サービス用のカードを店員に提示することができる。「マルチカードサービス」とは、複数の発行元のカードの情報を１枚のカードに集約して使えるサービスである。多数の店舗が集まって団体を形成しマルチカードサービスの運営を行ってもよいし、ＩＳＰ（Internet Service Provider）などがマルチカードサービスの運営を行ってもよい。【００２９】
以下、複数の発行元のカードの情報が集約されたカードを「マルチカード３０」と記載する。【００３０】
マルチカード３０として、例えばＩＣチップを有するＩＣカードまたは磁気ストライプを有する磁気カードなどが用いられる。または、ＩＣチップを内蔵した携帯電話端末を用いることもできる。【００３１】
マルチカード３０には、図４に示すように、マルチカードサービスの会員の会員ＩＤおよび氏名などの情報のほか、カード一覧テーブルＴＬ１および目標景品一覧テーブルＴＬ２などが記憶されている。【００３２】
カード一覧テーブルＴＬ１には、その会員が有するカード（クレジットカードまたはポイントサービスの会員カード）の発行元およびカードＩＤの一覧が示されている。【００３３】
目標景品一覧テーブルＴＬ２には、その会員が貯めたポイントと交換したい景品の名称（景品名）、その景品と交換できるポイントの発行元、その景品に交換するのに必要なポイントの点数（必要ポイント数）、およびその会員が現在有している、その発行元のポイントの点数（保有ポイント数）の一覧が、目標にする（所望する）順に示されている。以下、目標にする景品の順位を「目標順位」と記載する。【００３４】
マルチカードサービスへの加入の希望者は、加入の手続を行う際に、自分の氏名、所有するカードの発行元およびカードＩＤ、および目標の景品を本サービスの運営者に伝える。【００３５】
係る手続は、希望者が所定の申請用紙をマルチカードサービスの運営者に提出することによって行ってもよいし、インターネット上に開設しているＷｅｂサーバに申請用のＷｅｂページを運営者が用意しておき、希望者がオンラインで行うことができるようにしてもよい。【００３６】
運営者は、希望者から伝えられた内容に基づいて、図４で説明した情報を記憶したマルチカード３０を用意し、希望者に付与する。または、希望者がマルチカード３０として携帯電話端末を使用する場合は、図４で説明した情報をその携帯電話端末のＩＣチップに記憶するためにＷｅｂサーバなどから自動的に配信するようにしてもよい。【００３７】
ただし、各社のポイントサービスで提供される景品は多種多様なので、希望者は、マルチカードサービスへの加入の申請の時点で目標の景品を決めきれないことがある。また、加入後に、好みが変化しまたは景品を受け取ったことによって、目標の景品が変わることがある。【００３８】
そこで、図５に示すような、ＣＤ（Cash Dispenser）またはＡＴＭ（Automatic Teller Machine）程度の大きさであり、かつ、タッチパネル４ａおよびカードリーダライタ４ｂを備えた、景品設定用装置４を店舗ごとに設置しておいてもよい。【００３９】
景品設定用装置４には、タッチパネル４ａおよびカードリーダライタ４ｂのほか、図６に示す会員情報取得部４０１、景品情報検索部４０２、画面表示制御部４０３、景品情報書込制御部４０４、および景品データベース４ＫＤなどが設けられている。【００４０】
景品データベース４ＫＤは、ポイントサービスごとに設けられており、ポイントサービスが発行したポイントと引換えに提供している景品に関する情報が格納されている。例えば、Ａ書店ポイントサービスの景品データベース４ＫＤには、図７に示すような、Ａ書店ポイントサービスのポイントと交換可能な景品ごとの景品名、その景品に交換するのに必要なポイントの点数（必要ポイント数）、会員に対する説明、種別、および画像などの情報が格納されている。画像の情報として、例えば、景品の実物または見本をデジタルカメラで撮影するなどして得たＪＰＥＧなどの画像ファイルが用いられる。【００４１】
会員情報取得部４０１は、目標の景品を設定したい会員のマルチカード３０からカード一覧テーブルＴＬ１および目標景品一覧テーブルＴＬ２を読み取って取得するように、カードリーダライタ４ｂを制御する。【００４２】
景品情報検索部４０２は、読み取られたカード一覧テーブルＴＬ１の内容またはタッチパネル４ａへの操作の内容に応じて、景品データベース４ＫＤから景品の情報を検索する。【００４３】
画面表示制御部４０３は、景品情報検索部４０２による検索の結果、タッチパネル４ａへの操作の内容、または読み取られた目標景品一覧テーブルＴＬ２の内容などに応じて画面を生成しタッチパネル４ａに表示させる処理を行う。【００４４】
景品情報書込制御部４０４は、ユーザが設定した景品の一覧を示す目標景品一覧テーブルＴＬ２をマルチカード３０に書き込むようにカードリーダライタ４ｂを制御する。【００４５】
ここで、会員情報取得部４０１、景品情報検索部４０２、画面表示制御部４０３、および景品情報書込制御部４０４の処理の手順の一例を説明する。会員は、自分のマルチカード３０をカードリーダライタ４ｂにセットし所定のボタンを押す。【００４６】
すると、会員情報取得部４０１は、そのマルチカード３０に記憶されているカード一覧テーブルＴＬ１および目標景品一覧テーブルＴＬ２を取得する。【００４７】
景品情報検索部４０２は、そのカード一覧テーブルＴＬ１に示されるカードの発行元が提供している景品の情報を各景品データベース４ＫＤから検索する。例えば、発行元として図４のようにＡ書店、Ｂ百貨店、Ｃ信販会社、およびＤ電器の各ポイントサービスがカード一覧テーブルＴＬ１に示されている場合は、これら４つの発行元それぞれの景品データベース４ＫＤから景品の情報を呼び出す。【００４８】
画面表示制御部４０３は、景品情報検索部４０２によって検索された景品の情報に基づいて、図８のような、景品一覧ＬＴ１１および目標設定一覧ＬＴ１２などが設けられた景品取得目標設定画面ＨＧ１をタッチパネル４ａに表示させる。【００４９】
景品一覧ＬＴ１１には、景品情報検索部４０２によって検索された景品の画像が並べられている。なお、画面サイズの関係上、すべての景品を一度に並べることができない場合がある。この場合は、画面表示制御部４０３は、これらの景品を複数のページに分け、前頁ボタンＢＮ１１または次頁ボタンＢＮ１２が押されるごとに、前または後ろのページに係る景品の画像を並べ直す。【００５０】
目標設定一覧ＬＴ１２には、会員の目標の景品の情報が目標順位の順に並べられている。最初は、画面表示制御部４０３は、会員情報取得部４０１によって得られた目標景品一覧テーブルＴＬ２に示される景品の情報を、目標順位の順に、目標設定一覧ＬＴ１２に並べる。目標景品一覧テーブルＴＬ２に何も示されない場合は、目標設定一覧ＬＴ１２のすべての行を空欄にしておく。【００５１】
会員は、景品一覧ＬＴ１１の中から目標になりそうな景品をタッチする。すると、画面表示制御部４０３は、その景品一覧ＬＴ１１の右横に、その景品の景品名、説明、および必要ポイント数の情報を配置する。【００５２】
会員は、目標の景品が決まったら、その景品が選択された状態で（つまり、直前に、その景品の画像を押しておき）、その景品の目標順位をテキストボックスＴＸ１１に指定し、目標登録ボタンＢＮ１３を押す。【００５３】
すると、画面表示制御部４０３は、目標設定一覧ＬＴ１２の行のうちの、テキストボックスＴＸ１１に指定された目標順位の行に、その景品の情報を表示させる。既に、以前の目標の景品の情報がある場合は、それを削除して上書きする。【００５４】
会員は、上記の操作を行うことによって、１番目から任意の順番まで目標の景品を新規に指定しまたは改めて指定し直す。そして、指定し終えたら、終了ボタンＢＮ１４を押す。【００５５】
すると、景品情報書込制御部４０４は、以上のようにして指定された目標の景品の景品名、発行元（その景品との交換可能なポイントの発行元）、必要ポイント数、および保有ポイント数の情報が、マルチカード３０に記憶されている目標景品一覧テーブルＴＬ２のレコード（行）のうちのその景品の目標順位のレコードに書き込まれまたは上書きされるように、カードリーダライタ４ｂを制御する。【００５６】
そして、会員は、カードリーダライタ４ｂからマルチカード３０を抜き取る。再び目標の景品を変更したくなったら、上述の操作をやり直す。【００５７】
なお、景品取得目標設定画面ＨＧ１の目標景品一覧テーブルＴＬ２に示す各保有ポイント数は、各ポイントサービスの、ポイントの管理用のシステム（ポイント管理装置２Ａ、ポイント管理装置２Ｂ、またはオーソリセンタ）に問い合わせれば、分かる。以下、同様である。【００５８】
既存のＣＤ、ＡＴＭ、または来店客に特別にポイントを付与する装置（いわゆる、ご来店ポイント登録機）などを、景品設定用装置４として兼用してもよい。【００５９】
また、会員のパーソナルコンピュータまたは携帯電話端末でも、目標の景品の設定を、インターネットなどを介して行うことができるようにしてもよい。また、カード一覧テーブルＴＬ１の内容も、景品設定用装置４、パーソナルコンピュータ、または携帯電話端末によって設定することができるようにしてもよい。【００６０】
図９はポイント付与規則テーブルＴＢ１および交換率テーブルＴＢ２の例を示す図、図１０は特典テーブルＴＢ３の例を示す図、図１１は好適ポイントサービス判別処理の流れの例を説明するフローチャート、図１２はポイントサービス情報画面ＨＧ２の例を示す図である。【００６１】
次に、図２に示す端末装置１の各部の処理内容などについて詳細に説明する。【００６２】
ポイント規則記憶部１Ｋ１には、次のような、その端末装置１が使用される店舗で提供可能なポイントサービスの規則に関する情報が記憶されている。【００６３】
すなわち、ポイント規則記憶部１Ｋ１には、何円の買物につき１ポイントを与えるのかを、その店舗で取扱い可能なポイントサービスごとに記載した、ポイント付与規則テーブルＴＢ１が、記憶されている。例えば、Ａ書店の端末装置１つまり端末装置１Ａのポイント付与規則テーブルＴＢ１には、図９（ａ）のように、Ａ書店ポイントサービス、Ｂ百貨店ポイントサービス、およびＣ信販会社ポイントサービスそれぞれについて、何円の買物につき１ポイントを与えるのかが、記載されている。【００６４】
さらに、ポイント規則記憶部１Ｋ１には、あるポイントサービスのポイントを他のポイントサービスのポイントに交換する際の交換率を示す交換率テーブルＴＢ２が記憶されている。例えば、端末装置１Ａの交換率テーブルＴＢ２には、図９（ｂ）のような交換率が示されている。【００６５】
図２に戻って、カード特典記憶部１Ｋ２には、その端末装置１が使用される店舗で取扱い可能なポイントサービスの特典に関する情報が記憶されている。端末装置１Ａのカード特典記憶部１Ｋ２には、図１０に示すような、Ａ書店ポイントサービスを使用した顧客に対して特別に適用する割引率、Ｂ百貨店ポイントサービスを使用した顧客に対して特別に適用する割引率、およびＣ信販会社ポイントサービスを使用した顧客に対して特別に適用する割引金額を示す特典テーブルＴＢ３が記憶されている。【００６６】
ポイント対象金額取得部１０１ないしポイント付与制御部１０６は、買物をした顧客に対してマルチカードサービスを適用してポイントを付与（発行）するための処理を行う。【００６７】
ポイント対象金額取得部１０１は、ポイントの付与の対象となる金額を示す情報を取得する。例えば、顧客の買物の精算の際に店員が操作ボタン１０ｆまたはバーコードリーダなどを操作して入力した代金を示す情報を取得する。【００６８】
顧客情報取得部１０２は、買物をする顧客のマルチカード３０に記憶されているカード一覧テーブルＴＬ１および目標景品一覧テーブルＴＬ２（図４参照）をカードリーダライタ１ＲＷに読み取らせることによって取得する。【００６９】
好適ポイントサービス判別部１０３は、顧客情報取得部１０２によって取得されたカード一覧テーブルＴＬ１および目標景品一覧テーブルＴＬ２に基づいて、買物をする顧客にどのポイントサービスのポイントを付与するのか好適であるかを、図１１のフローチャートのような手順で判別する。【００７０】
目標景品一覧テーブルＴＬ２に示される、１番目の目標の景品を提供するポイントサービス（つまり、その景品を得るために必要なポイントを発行するポイントサービス）に注目する（図１１の＃１２１、＃１２２）。以下、注目したポイントサービスを「注目ポイントサービス」と記載する。【００７１】
その店舗において注目ポイントサービスが取り扱われている場合は（＃１２３でＹｅｓ）、その注目ポイントサービスのポイントを付与するのが好適であると判別する（＃１２４）。【００７２】
一方、その注目ポイントサービスが取り扱われていない場合は（＃１２３でＮｏ）、その注目ポイントサービスのポイントに交換することができる他のポイントサービスのポイントをその店舗において付与することができるか否かを、交換率テーブルＴＢ２（図９（ｂ）参照）に基づいてチェックする（＃１２５）。そのような他のポイントサービスがあった場合は（＃１２６でＹｅｓ）、当該他のポイントサービスのポイントを付与するのが好適であると判別する（＃１２８）。【００７３】
ただし、そのような他のポイントサービスが複数あった場合は、当該他のポイントサービスそれぞれのポイントを付与してもらい、そのポイントを注目ポイントサービスのポイントに交換すると何点になるかを、ポイント付与規則テーブルＴＢ１および交換率テーブルＴＢ２に基づいて算出（試算）する（＃１２７）。そして、当該他のポイントサービスのうち、最も多くの注目ポイントサービスのポイントに交換できるものを、好適であると判別する（＃１２８）。【００７４】
その注目ポイントサービスを取り扱っておらず、かつ、その注目ポイントサービスのポイントに交換可能な他のポイントサービスがない場合は（＃１２３でＮｏ、＃１２６でＮｏ）、その次の目標順位に係る景品を提供するポイントサービスに注目し直し（＃１２９、＃１３０でＮｏ、＃１２２）、上に説明した方法で好適なポイントサービスを判別する（＃１２３〜＃１２８）。【００７５】
最下位の景品を提供するポイントサービスに注目し直してステップ＃１２３〜＃１２８の処理を行っても好適なポイントサービスが見つからなかった場合は（＃１３０でＹｅｓ）、判別不能という結果を出力する（＃１３１）。この場合は、従来通り、どのポイントサービスのポイントを所望するかを、顧客に判断してもらう。【００７６】
図２に戻って、付与ポイント算出部１０４は、今回の買物に際して、好適ポイントサービス判別部１０３によって好適であると判別されたポイントサービスのポイントを何点付与すればよいかを、今回の買物の金額（代金）およびポイント付与規則テーブルＴＢ１（図９（ａ）参照）に基づいて算出する。【００７７】
サービス情報表示制御部１０５は、好適ポイントサービス判別部１０３による判別結果および付与ポイント算出部１０４による判別結果が表示されるようにディスプレイ１０ｅを制御する。【００７８】
または、サービス情報表示制御部１０５は、これらの判別結果とともに、カード一覧テーブルＴＬ１（図４参照）および特典テーブルＴＢ３（図１０参照）に基づいて、その店舗においてポイントを付与することができかつその顧客が加入しているポイントサービスに関する割引などの特典の情報を表示させてもよい。例えば、図１２のようなポイントサービス情報画面ＨＧ２を表示させてもよい。【００７９】
ここで、店員は、表示されたポイントサービスのポイントを付与してもよいか否か、つまり、表示されたポイントサービスのカードにポイントを加算してもよいか否かを、顧客に対して問い合わせる。そして、店員は、顧客からの回答に従って、今回どのポイントサービスのポイントを顧客に付与するのかを、操作ボタン１０ｆを操作するなどして選択する。【００８０】
ポイント付与制御部１０６は、店員が選択したポイントサービスのポイントを、付与ポイント算出部１０４によって算出された点数だけ顧客に付与されるように、その通信インタフェース１０ｇまたは入出力インタフェース１０ｈに繋がれている装置を制御する。例えば、書店Ａポイントサービスのポイントが選択された場合は、ポイント管理装置２Ａを制御する。そして、ポイント管理装置２Ａなどの装置は、その顧客に対してポイントを付与する。【００８１】
以上のようなポイント対象金額取得部１０１およびポイント付与制御部１０６の処理によって、買物をした顧客にポイントが付与される。【００８２】
図１３は端末装置１の全体的な処理の流れの例を説明するフローチャート、図１４はレシートの例を示す図である。【００８３】
次に、ポイントを付与する際の端末装置１の全体的な処理の流れを、ある顧客ＸがＡ書店で１０００円の買物をする場合を例に、説明する。【００８４】
Ａ書店の店員は、顧客Ｘが商品の購入を申し出ると、その商品の金額（代金）を操作ボタン１０ｆに打ち込みまたはその商品に付いているバーコードをバーコードリーダに読み取らせる。すると、端末装置１に、その商品の代金が入力される（＃１）。【００８５】
さらに、店員は、顧客Ｘからマルチカード３０を預かり、カードリーダライタ１ＲＷにセットする。すると、それに記憶されているカード一覧テーブルＴＬ１および目標景品一覧テーブルＴＬ２などが、カードリーダライタ１ＲＷによって読み取られ端末装置１に入力される（＃２）。【００８６】
端末装置１は、図１１で説明した手順で、顧客Ｘにとって好適なポイントサービスおよびそれが選択された場合に付与するポイント数を判別し算出する（＃３）。【００８７】
例えば、ステップ＃２で取得したカード一覧テーブルＴＬ１および目標景品一覧テーブルＴＬ２の内容が図４の通りである場合は、まずは、Ｄ電器ポイントサービスが好適であるか否かをチェックするが、Ａ書店では、このポイントサービスを取り扱っていない。しかし、図９（ｂ）の交換率テーブルＴＢ２に示される通り、Ｄ電器ポイントサービスのポイントに交換することができる、Ａ書店ポイントサービスおよびＣ信販会社ポイントサービスの各ポイントの発行が可能である。【００８８】
そこで、今回の買物について、ポイント付与規則テーブルＴＢ１および交換率テーブルＴＢ２に基づいて、Ａ書店ポイントサービスのポイントを発行し、それをＤ電器ポイントサービスのポイントに交換すると何点になるのかを算出し、Ｃ信販会社ポイントサービスのポイントを発行し、それをＤ電器ポイントサービスのポイントに交換すると何点になるのかを算出する。そして、両方の算出結果を比較し、Ａ書店ポイントサービスおよびＣ信販会社ポイントサービスのうち、より多くのＤ電器ポイントサービスのポイントに交換できるほうを、好適なポイントサービスとして選択する。【００８９】
今回の代金は１０００円なので、Ａ書店ポイントサービスのポイントを付与しそれをＤ電器ポイントサービスのポイントに交換すると、「１０００（円）÷１００（円／点）×３．０＝３０（点）」になる。一方、Ｃ信販会社ポイントサービスのポイントを付与しそれをＤ電器ポイントサービスのポイントに交換すると、「１０００（円）÷５０（円／点）×０．８＝１６（点）」になる。よって、Ａ書店ポイントサービスが顧客Ｘにとって好適である判別する。【００９０】
図１３のフローチャートに戻って、判別および算出の結果を表示する（＃４）。この際に、図１２のように、判別および算出の結果とともに割引の特典を一緒に表示してもよい。【００９１】
店員は、表示された内容を顧客Ｘに伝え、どのポイントサービスのポイントを所望するか、つまり、どのポイントサービスのカードにポイントを貯めるのかを問い合わせる。そして、顧客Ｘが選択したポイントサービスを端末装置１に指定する。【００９２】
端末装置１は、その選択の結果を受け付けると（＃５）、選択されたポイントサービスのポイントが顧客Ｘに付与されるように、そのポイントサービスに対応する装置を制御する（＃６）。【００９３】
なお、割引を適用した場合は代金が変更されるので、ステップ＃３で算出したポイント数と変更後の代金に適合したポイント数とが異なってしまうことがある。そこで、割引を適用した場合は、再度、付与すべきポイント数を算出し直し、ポイントを付与するようにしてもよい。【００９４】
注目ポイントサービスとは異なるポイントサービスのポイントを付与する場合は、このポイントをこの注目ポイントサービスのポイントに自動的に交換するようにしてもよい。【００９５】
図１４のような、今回ポイントを付与したポイントサービスおよび点数を記載したレシートを発行し、顧客に渡してもよい。【００９６】
本実施形態によると、複数のポイントサービスの利用が可能な顧客がどのポイントサービスのポイントの付与を受けるのかを従来よりも簡単に選択することができる。【００９７】
図１５は好適ポイントサービス判別処理の流れの変形例を説明するフローチャート、図１６はレシートの例を示す図である。【００９８】
本実施形態では、端末装置１は、買物をした顧客にとって好適なポイントサービスを提示した。そして、顧客がそのポイントサービスを選択した場合に、そのポイントサービスのポイントの付与を行った。つまり、端末装置１は、好適であると判別したポイントサービスのポイントを付与してもよいか否かの確認を顧客に対して行った。しかし、端末装置１は、このような確認を行うことなく、好適であると判別したポイントサービスのポイントを自動的に付与するようにしてもよい。【００９９】
確認が不要な顧客は、予め、その旨を示す情報を自分のマルチカード３０に設定しておけばよい。そして、端末装置１は、店舗が代金の支払いを受ける際に、顧客のマルチカード３０にその旨を示す情報が記憶（設定）されていれば、好適であると判別したポイントサービスのポイントを、ポイントサービス情報画面ＨＧ２の表示を待たず直ちに付与すればよい。【０１００】
本実施形態では、顧客のカード一覧テーブルＴＬ１および目標景品一覧テーブルＴＬ２をその顧客のマルチカード３０によって管理した。つまり、これらの情報を分散管理した。しかし、各顧客のカード一覧テーブルＴＬ１および目標景品一覧テーブルＴＬ２をサーバによって一元的に管理してもよい。この場合は、端末装置１は、カード一覧テーブルＴＬ１および目標景品一覧テーブルＴＬ２を、カードリーダライタ１ＲＷに対して要求し取得する代わりに、サーバに対して要求し取得すればよい。また、景品設定用装置４も、カード一覧テーブルＴＬ１および目標景品一覧テーブルＴＬ２をサーバから取得し、顧客（会員）が指定した景品に関する情報を、目標景品一覧テーブルＴＬ２に反映させるためにサーバに送信すればよい。【０１０１】
本実施形態では、端末装置１は、好適であると判別したポイントサービスを、ディスプレイ１０ｅに表示することによって提示したが、スピーカで音声を出力することによって提示してもよい。【０１０２】
本実施形態では、百貨店に出店している店舗を例に説明したが、インターネットのＷｅｂサイトによって商品の販売またはサービスの提供を行う店舗つまりオンラインショップの場合にも、本発明を適用することができる。【０１０３】
本実施形態では、好適ポイントサービス判別処理を、図１１で説明した方法で実行した。しかし、顧客の目標の景品に必要なポイントサービスのポイントは、ダイレクトに付与するよりも、一旦他のポイントサービスのポイントを付与しそれを変換（交換、両替）したほうが、多く付与できることが、あり得る。そこで、好適ポイントサービス判別処理を、図１５に示す方法で実行してもよい。【０１０４】
すなわち、図１５において、目標景品一覧テーブルＴＬ２（図４参照）に示される１番目のポイントサービスに注目する（＃１５１）。【０１０５】
その店舗において注目ポイントサービスが取り扱われているか否かをチェックする（＃１５２）。さらに、その注目ポイントサービスのポイントに交換することができる他のポイントサービスのポイントをその店舗において付与することができるか否かをチェックする（＃１５３）。【０１０６】
注目ポイントサービスが取り扱われている場合またはその注目ポイントサービスのポイントに交換することができる他のポイントサービスのポイントを付与することができる場合は（＃１５４でＹｅｓ）、次の各ポイントの点数を算出する（＃１５５）。【０１０７】
今回の買物の代金に応じた、注目ポイントサービスのポイントの点数を算出する。以下、この点数を「点数Ｐａ」と記載する。ただし、注目ポイントサービスを取り扱っていない場合は、算出しない。【０１０８】
今回の買物の代金に応じた、当該他のポイントサービスごとのポイントの点数を算出する。算出した各ポイントの点数を、注目ポイントサービスのポイントに変換（交換）する。以下、変換後の各ポイントの点数を「点数Ｑａ」、「点数Ｑｂ」、「点数Ｑｃ」、…と記載する。【０１０９】
点数Ｐａ、点数Ｑａ、点数Ｑｂ、点数Ｑｃ、…のうちの最も高い点数に応じて、好適なポイントサービスを次のように判別する（＃１５６）。最も高い点数が点数Ｐａであれば、注目ポイントサービスを好適であると判別する。それ以外の点数が最も高い場合は、最高の点数の交換前のポイントに係るポイントサービスを好適であると判別する。【０１１０】
一方、その注目ポイントサービスを取り扱っておらず、かつ、その注目ポイントサービスのポイントに交換可能な他のポイントサービスがない場合は（＃１５４でＮｏ）、その次の目標順位に係るポイントサービスに注目し直し（＃１５７、＃１５８でＮｏ、＃１５２）、上に説明した方法で好適なポイントサービスを判別する（＃１５３〜＃１５６）。【０１１１】
最下位のポイントサービスも好適であると判別できなかった場合は（＃１５８でＹｅｓ）、判別不能という結果を出力する（＃１５９）。【０１１２】
買物の代金に応じたポイントをすべて、１種類のポイントサービスのポイントとして付与すると、顧客の保有ポイント数が目標の景品に必要なポイントの点数を超えてしまうことがある。そこで、目標の景品に必要な分のポイントだけ与え、残りはそれよりも下位の景品に必要なポイントサービスのポイントとして付与してもよい。この場合は、図１６のようなレシートを顧客に発行すればよい。【０１１３】
その他、端末装置１、景品設定用装置４の全体または各部の構成、処理内容、処理順序、データベースの構成などは、本発明の趣旨に沿って適宜変更することができる。
【産業上の利用可能性】
【０１１４】
本発明は、ポイントサービスの利便性を向上させることによって消費者の購入意欲の向上を図るために、好適に用いられる。
【図１】
2008126131.tif 000003
【図２】
2008126131.tif 000004
【図３】
2008126131.tif 000005
【図４】
2008126131.tif 000006
【図５】
2008126131.tif 000007
【図６】
2008126131.tif 000008
【図７】
2008126131.tif 000009
【図８】
2008126131.tif 000010
【図９】
2008126131.tif 000011
【図１０】
2008126131.tif 000012
【図１１】
2008126131.tif 000013
【図１２】
2008126131.tif 000014
【図１３】
2008126131.tif 000015
【図１４】
2008126131.tif 000016
【図１５】
2008126131.tif 000017
【図１６】
2008126131.tif 000018
【手続補正書】
【提出日】平成21年1月23日(2009.1.23)
【手続補正１】
【補正対象書類名】特許請求の範囲
【補正対象項目名】全文
【補正方法】変更
【補正の内容】
【特許請求の範囲】
【請求項１】
ポイントを会員に付与し会員が貯めたポイントを景品と引き換える複数のポイントサービスの中から会員がいずれかを選択するのを支援するポイントサービス選択支援方法であって、
景品ごとに、当該景品の名称、当該景品と引き換えるのに必要なポイントの数、および当該景品と引換可能なポイントを付与する前記ポイントサービスを示す引換用景品情報を記憶する引換用景品情報記憶手段を用意しておき、
前記引換用景品情報を会員に対して提示し、
会員ごとに、当該会員が順位を付けて選択した所望の景品を示す所望景品情報を所望景品情報記憶手段に記憶させておき、
店舗において会員にポイントを付与する際に、
当該会員の前記所望景品情報を前記所望景品情報記憶手段から取得し、
当該所望景品情報に示されるいずれかの景品と引換可能であるポイントを付与しかつ当該店舗において取扱い可能である前記ポイントサービスのうち、最も順位の高い景品のポイントを付与する前記ポイントサービスを、当該会員にとって選択するのに好適であると判別し、
好適であると判別した前記ポイントサービスを提示する、
ことを特徴とするポイントサービス選択支援方法。
【請求項２】
ポイントを会員に付与し会員が貯めたポイントを景品と引き換える複数のポイントサービスの中から会員がいずれかを選択するのを支援するポイントサービス選択支援方法であって、
景品ごとに、当該景品の名称、当該景品と引き換えるのに必要なポイントの数、および当該景品と引換可能なポイントを付与する前記ポイントサービスを示す引換用景品情報を記憶する引換用景品情報記憶手段を用意しておき、
前記引換用景品情報を会員に対して提示し、
会員ごとに、当該会員が選択した所望の景品を示す所望景品情報を所望景品情報記憶手段に記憶させておき、
店舗において会員にポイントを付与する際に、
当該会員の前記所望景品情報を前記所望景品情報記憶手段から取得し、
当該所望景品情報に示される景品と引換可能なポイントを付与する前記ポイントサービスを当該店舗において取扱い可能である場合は、当該ポイントサービスを、当該会員にとって選択するのに好適であると判別し、取扱い不能である場合は、当該ポイントサービスのポイントに交換可能なポイントを付与しかつ当該店舗において取扱い可能である他の前記ポイントサービスのうち、最も多く当該ポイントサービスのポイントに交換可能なポイントを付与するものを、当該会員にとって選択するのに好適であると判別し、
好適であると判別した前記ポイントサービスを当該会員に提示する、
ことを特徴とするポイントサービス選択支援方法。
【請求項３】
ポイントを会員に付与し会員が貯めたポイントを景品と引き換える複数のポイントサービスの中から会員がいずれかを選択するのを支援するポイントサービス選択支援方法であって、
景品ごとに、当該景品の名称、当該景品と引き換えるのに必要なポイントの数、および当該景品と引換可能なポイントを付与する前記ポイントサービスを示す引換用景品情報を記憶する引換用景品情報記憶手段を用意しておき、
前記引換用景品情報を会員に対して提示し、
会員ごとに、当該会員が選択した所望の景品を示す所望景品情報を所望景品情報記憶手段に記憶させておき、
店舗において会員にポイントを付与する際に、
当該会員の前記所望景品情報を前記所望景品情報記憶手段から取得し、
当該所望景品情報に示される景品と引換可能なポイントを付与しかつ当該店舗において取扱い可能である前記ポイントサービスから当該会員に今回付与すべきポイントの点数である第一の点数を算出し、
当該所望景品情報に示される景品と引換可能なポイントに交換可能なポイントを付与しかつ当該店舗において取扱い可能な前記ポイントサービスから当該会員に今回付与すべきポイントの点数である第二の点数を算出し、
前記第二の点数のポイントを、当該所望景品情報に示される景品と引換可能なポイントを付与する前記ポイントサービスのポイントに変換した際の点数である第三の点数を算出し、
前記第一の点数および前記第三の点数を比較した結果、当該第一の点数が最も大きい場合は当該所望景品情報に示される景品と引換可能なポイントを付与する前記ポイントサービスを、当該会員にとって選択するのに好適であると判別し、当該第三の点数が最も大きい場合は、当該第三の点数のポイントの変換元のポイントに係る前記ポイントサービスを、当該会員にとって選択するのに好適であると判別し、
好適であると判別した前記ポイントサービスを当該会員に提示する、
ことを特徴とするポイントサービス選択支援方法。
【請求項４】
ポイントを会員に付与し会員が貯めたポイントを景品と引き換える複数のポイントサービスの中から会員がいずれかを選択するのを支援するポイントサービス選択支援システムであって、
景品ごとに、当該景品の名称、当該景品と引き換えるのに必要なポイントの数、および当該景品と引換可能なポイントを付与する前記ポイントサービスを示す引換用景品情報を記憶する引換用景品情報記憶手段と、
前記引換用景品情報を会員に提示する引換用景品情報提示手段と、
会員が順位を付けて選択した所望の景品を示す所望景品情報を所望景品情報記憶手段に記憶させる所望景品情報登録処理手段と、
店舗において会員にポイントを付与する際に、当該会員の前記所望景品情報を前記所望景品情報記憶手段から取得する、所望景品情報取得手段と、
取得された前記所望景品情報に示されるいずれかの景品と引換可能であるポイントを付与しかつ前記店舗において取扱い可能である前記ポイントサービスのうち、最も順位の高い景品のポイントを付与する前記ポイントサービスを、会員にとって選択するのに好適であると判別する、好適ポイントサービス判別手段と、
判別された前記ポイントサービスを提示するポイントサービス提示手段と、
を有することを特徴とするポイントサービス選択支援システム。
【請求項５】
ポイントを会員に付与し会員が貯めたポイントを景品と引き換える複数のポイントサービスの中から会員がいずれかを選択するのを支援するポイントサービス選択支援システムであって、
景品ごとに、当該景品の名称、当該景品と引き換えるのに必要なポイントの数、および当該景品と引換可能なポイントを付与する前記ポイントサービスを示す引換用景品情報を記憶する引換用景品情報記憶手段と、
前記引換用景品情報を会員に提示する引換用景品情報提示手段と、
会員が選択した所望の景品を示す所望景品情報を所望景品情報記憶手段に記憶させる所望景品情報登録処理手段と、
店舗において会員にポイントを付与する際に、当該会員の前記所望景品情報を前記所望景品情報記憶手段から取得する、所望景品情報取得手段と、
取得された当該所望景品情報に示される景品と引換可能なポイントを付与する前記ポイントサービスを当該店舗において取扱い可能である場合は、当該ポイントサービスを、会員にとって選択するのに好適であると判別し、取扱い不能である場合は、当該ポイントサービスのポイントに交換可能なポイントを付与しかつ当該店舗において取扱い可能である他の前記ポイントサービスのうち、最も多く当該ポイントサービスのポイントに交換可能なポイントを付与するものを、当該会員にとって選択するのに好適であると判別する、好適ポイントサービス判別手段と、
好適であると判別された前記ポイントサービスを提示するポイントサービス提示手段と、
を有することを特徴とするポイントサービス選択支援システム。
【国際調査報告】
2008126131.tif 000019
2008126131.tif 000020